(57)【要約】      （修正有）【課題】個別毎に所有されるＩＣカードに当該所有者の保持データを表示させるＩＣカードのデータ表示方法及びＩＣカードに関し、既存の高セキュリティのＩＣチップを用いてリーダライタの機構変更を伴うことなくＩＣカード上で所有者の保持データを表示可能とさせる。【解決手段】情報管理装置からのＩＤコードの要求を第１アンテナ部２２で受信し、第１制御部２１が保有するＩＤコードを要求の情報管理装置に当該第１アンテナ部２２を介して送信し、情報管理装置から任意のタイミングで送信されるデータベースに格納されている当該ＩＤコードに関連付けられた保持データを表示させる表示データを、第２アンテナ部２４で受信し、第２制御部２３が当該表示データを所定数の表示部２５，２６に表示する構成とする。【選択図】図２
2011076150.tif 000002
【特許請求の範囲】
【請求項１】
所有者別のＩＤコードを保持し、第１アンテナ部に接続されて所定の周波数で通信自在な第１制御部、第２アンテナ部に接続されて上記周波数で通信自在な第２制御部、及び、当該第２制御部により制御される所定数の表示部を備えるＩＣカードと、当該ＩＣカードの第１アンテナ部及び第２アンテナ部と通信自在とするリーダライタアンテナ部を備え、所有者毎の更新自在な保持データをＩＤコードで関連付けて格納するデータベースから当該保持データをＩＤコードにより抽出自在な情報管理装置とにより、上記ＩＣカードの表示部に上記データベースにＩＤコードで関連付けられている保持データを表示させるＩＣカードのデータ表示方法であって、
前記情報管理装置からのＩＤコードの要求を前記ＩＣカードの第１アンテナ部で受信するステップと、
前記ＩＣカードの第１制御部が保有するＩＤコードを要求の情報管理装置に当該第１アンテナ部を介して送信するステップと、
情報管理装置から任意のタイミングで送信される前記データベースに格納されている当該ＩＤコードに関連付けられた保持データを表示させる表示データを、前記ＩＣカードの第２アンテナ部で受信するステップと、
前記ＩＣカードの第２制御部が当該表示データを前記表示部に表示させるステップと、
を含むことを特徴とするＩＣカードのデータ表示方法。
【請求項２】
一の周波数で通信自在なリーダライタアンテナ部を備えて所有者毎の更新自在な保持データをＩＤコードで関連付けて格納するデータベースから当該ＩＤコードで保持データを抽出自在な情報管理装置に対して非接触で通信自在なＩＣカードであって、
前記情報管理装置からのＩＤコードの要求を受信する第１アンテナ部と、
個別のＩＤコードを保持して前記情報管理装置との通信を制御するものであり、前記第１アンテナ部で受信した当該情報管理装置からのＩＤコードの要求に対し、当該保持しているＩＤコードを当該情報管理装置に当該第１アンテナ部を介して送信する第１制御部と、
情報管理装置から任意のタイミングで送信される前記データベースに格納されている当該ＩＤコードに関連付けられた保持データを表示させる表示データを受信する第２アンテナ部と、
前記情報管理装置との通信を制御するものであり、前記第２アンテナ部で受信した表示データを表示制御する第２制御部と、
前記第２制御部により表示制御されて前記表示データを表示する所定数の表示部と、
を有することを特徴とするＩＣカード。
【発明の詳細な説明】
【技術分野】
【０００１】
本発明は、個別毎に所有されるＩＣカードに当該所有者の保持データを表示させるＩＣカードのデータ表示方法及びＩＣカードに関する。
【背景技術】
【０００２】
近年、例えば、パチンコ機やスロットマシン等の遊技機に非接触のＩＣカードを使用して遊技者のプリペイド情報や遊技媒体貯蓄数の遊技保持データをデータベースに格納しておき、遊技者の便に供することも行われている。当該ＩＣカードには遊技保持データが視覚的に表示されることが望ましく、一方で、ＩＣカードは不正使用を防止するために、リーダライタに対してＩＳＯ１８０９２対応の通信を行うＩＣチップが使用されることが多く、上記ＩＣカード上の表示をリーダライタの機構的な変更を伴うことなく可能とすることが望ましい。
【０００３】
従来、遊技機に使用される非接触のＩＣカードはアンテナ部と制御部（ＩＣチップ）で構成され、当該ＩＣカードに対して通信を行い、当該ＩＣカードに保持されているＩＤコードのデータを取得するリーダライタ機能を備える情報管理装置が遊技機毎に設けられている。この情報管理装置は、ＩＣカードのアンテナ部に対応し、所定周波数の電波を用いて通信を行うもので、当該通信のための周波数に応じた一のアンテナ部が備えられる。
【０００４】
ところで、非接触のＩＣカードとして、以下の特許文献等で提案されているものがある。特許文献１では、第１チップ及び第１ＨＦコイルの組と、第２チップ及び第２ＬＦコイルの組とで構成した、異なる２組の周波数アンテナコイルとＩＣチップを内蔵させた２つの機能ユニットのＩＣカードが提案されている。
【０００５】
また、特許文献２では、アンテナコイルに接続されたＩＣチップと、異なるアンテナコイルに接続された有機ＥＬ制御用チップで構成され、ＩＣチップの出力ポートと有機ＥＬ制御用チップの入力ポートが接続され、当該有機ＥＬ制御用チップの出力ポートに有機ＥＬパネルが接続されたもので、ＩＣチップのメモリ上の情報を有機ＥＬ制御用チップにより有機ＥＬパネルに表示させるＩＣカードが提案されている。
【先行技術文献】
【特許文献】
【０００６】
【特許文献１】特許第４０１６７６２号公報
【特許文献２】特開２００８−２１７２１５号公報
【発明の概要】
【発明が解決しようとする課題】
【０００７】
上記特許文献１で提案されているＩＣカードを、上記遊技機の情報管理装置に適用させる場合、当該情報管理装置では、当該ＩＣカードの第１ＨＦコイルと第２ＬＦコイルの異なる周波数に対応させたアンテナ部を備えなければならず、装置構成の変更によるコスト増を招き、また、当該ＩＣカードには表示機能もない。
【０００８】
また、上記特許文献２で提案されているＩＣカードを、上記遊技機の情報管理装置に適用させる場合、通信によるデータ授受だけの単独機能で高セキュリティを確保している既存のＩＣチップを使用することができないという問題がある。すなわち、特許文献２におけるＩＣカードでセキュリティを確保するためにはＩＣチップが通信状態であるときには有機ＥＬ制御用チップの動作を停止させ、当該有機ＥＬ制御用チップを動作させているときにはＩＣチップの通信動作を停止させなければならず、そのためのプログラムをＩＣチップに含ませる必要があり、別途製品化させなければならないこととなるものである。
【０００９】
そこで、本発明は上記課題に鑑みなされたもので、既存の高セキュリティのＩＣチップを用いてリーダライタの機構変更を伴うことなくＩＣカード上で所有者の保持データを表示可能とさせるＩＣカードのデータ表示方法及びＩＣカードを提供することを目的とする。
【課題を解決するための手段】
【００１０】
上記課題を解決するために、請求項１の発明では、所有者別のＩＤコードを保持し、第１アンテナ部に接続されて所定の周波数で通信自在な第１制御部、第２アンテナ部に接続されて上記周波数で通信自在な第２制御部、及び、当該第２制御部により制御される所定数の表示部を備えるＩＣカードと、当該ＩＣカードの第１アンテナ部及び第２アンテナ部と通信自在とするリーダライタアンテナ部を備え、所有者毎の更新自在な保持データをＩＤコードで関連付けて格納するデータベースから当該保持データをＩＤコードにより抽出自在な情報管理装置とにより、上記ＩＣカードの表示部に上記データベースにＩＤコードで関連付けられている保持データを表示させるＩＣカードのデータ表示方法であって、前記情報管理装置からのＩＤコードの要求を前記ＩＣカードの第１アンテナ部で受信するステップと、前記ＩＣカードの第１制御部が保有するＩＤコードを要求の情報管理装置に当該第１アンテナ部を介して送信するステップと、情報管理装置から任意のタイミングで送信される前記データベースに格納されている当該ＩＤコードに関連付けられた保持データを表示させる表示データを、前記ＩＣカードの第２アンテナ部で受信するステップと、前記ＩＣカードの第２制御部が当該表示データを前記表示部に表示させるステップと、を含む構成とする。
【００１１】
請求項２の発明では、一の周波数で通信自在なリーダライタアンテナ部を備えて所有者毎の更新自在な保持データをＩＤコードで関連付けて格納するデータベースから当該ＩＤコードで保持データを抽出自在な情報管理装置に対して非接触で通信自在なＩＣカードであって、前記情報管理装置からのＩＤコードの要求を受信する第１アンテナ部と、個別のＩＤコードを保持して前記情報管理装置との通信を制御するものであり、前記第１アンテナ部で受信した当該情報管理装置からのＩＤコードの要求に対し、当該保持しているＩＤコードを当該情報管理装置に当該第１アンテナ部を介して送信する第１制御部と、情報管理装置から任意のタイミングで送信される前記データベースに格納されている当該ＩＤコードに関連付けられた保持データを表示させる表示データを受信する第２アンテナ部と、前記情報管理装置との通信を制御するものであり、前記第２アンテナ部で受信した表示データを表示制御する第２制御部と、前記第２制御部により表示制御されて前記表示データを表示する所定数の表示部と、を有する構成とする。
【発明の効果】
【００１２】
本発明によれば、情報管理装置からのＩＤコードの要求を第１アンテナ部で受信し、第１制御部が保有するＩＤコードを要求の情報管理装置に当該第１アンテナ部を介して送信し、情報管理装置から任意のタイミングで送信されるデータベースに格納されている当該ＩＤコードに関連付けられた保持データの表示データを第２アンテナ部で受信し、第２制御部が当該表示データを所定数の表示部に表示する構成とすることにより、第１制御部を既存の高セキュリティのＩＣチップとし、情報管理装置の制御部のプログラムの変更だけでリーダライタ部分の機構変更を伴うことなくＩＣカード上の第１制御部及び第２制御部が情報管理装置と通信を可能とすることができ、ＩＣカード上で所有者の保持データを表示可能とさせることができるものである。
【図面の簡単な説明】
【００１３】
【図１】本発明に係る遊技保持データをカード表示させる各要素の模式図である。
【図２】図１の本発明に係る遊技機用ＩＣカードの構成図である。
【図３】図１の情報管理装置及びデータベースの構成説明図である。
【図４】本発明に係る遊技保持データのカード表示の前提となる処理フローチャートである。
【図５】本発明に係る遊技保持データのカード表示の処理フローチャートである。
【発明を実施するための形態】
【００１４】
以下、本発明の実施形態を図により説明する。本発明は全般的に個別毎に所有されるＩＣカードに当該所有者の保持データを表示させる場合に適用できるものであるが、本実施形態では、ＩＣカードを遊技機用ＩＣカードとし、ＩＣカードの所有者を遊技機の遊技者とし、所有者の保持データを遊技保持データとして説明する。
【００１５】
図１に、本発明に係る遊技保持データをカード表示させる各要素の模式図を示す。図１において、ＩＣカード１１は遊技機用ＩＣカードとして、遊技機毎にそれぞれ設けられた情報管理装置１２と非接触で通信自在であり、各情報管理装置１２はホスト装置１３に所定のネットワーク１４を介してアクセス自在とされる。当該ホスト装置１３には、後述の図３で示す遊技者データベースが備えられる。
【００１６】
ここで、図２に、図１の本発明に係る遊技機用ＩＣカードの構成図を示す。図２（Ａ）は内部を示したもので、ＩＣカードとして少なくともは第１及び第２表示部を表出させて表装部が設けられるものであり、図２（Ｂ）はブロック構成図を示したものである。図２（Ａ）、（Ｂ）において、遊技機用のＩＣカード１１は、後に示す情報管理装置に挿入されたときにリーダライタアンテナ部の位置に対応して第１アンテナ部２２が設けられ、当該第１アンテナ部２２に第１制御部２１が電気的に接続されたものである。第１アンテナ部２２は、例えば円形螺旋状のアンテナコイルを、例えば公知の導電性の印刷インキにより形成され、その両端に第１制御部２１が接続されたものである。
【００１７】
上記第１アンテナ部２２は後述の情報管理装置からのＩＤコードの要求を受信する。上記第１制御部２１は、個別のＩＤコードを保持して情報管理装置との通信を制御するものであり、第１アンテナ部２２で受信した当該情報管理装置からのＩＤコードの要求に対し、当該保持しているＩＤコードを当該情報管理装置に当該第１アンテナ部２２を介して送信するＩＣチップ（第１ＩＣチップ）である。
【００１８】
上記第１ＩＣチップは、通信によるデータ授受だけの単独機能で高セキュリティを確保している既存のもので、例えば、ＩＳＯ１８０９２規格に対応したものである。当該第１ＩＣチップは、具体的には、制御回路、ＩＤコードや制御プログラムが記憶されているＲＯＭ、プログラム実行のためのメモリ、検波回路、変復調回路、電源回路を有してなる。
【００１９】
上記電源回路は、第１アンテナ部２２で受信した所定周波数の電波を検波回路で検波し、アンテナコイルで発生した誘導起電力を適宜昇圧して他の回路等の電力を生成するものである。周波数としては、例えば１３．５６ＭＨｚが採用される。また、受信した電波には当該周波数の搬送波にデータ信号が重畳されており、変復調回路で当該データ信号を復調し、一方、第１制御部２１より送信するときには、制御回路が当該変復調回路に対して当該周波数の搬送波に送信データ信号（本発明の場合にはＩＤコード）を重畳させて変調させ、第１アンテナ部２２より送信するものである。
【００２０】
上記第１制御部２１及び第１アンテナ部２２の、例えば外側に第２アンテナ部２４が設けられ、当該第２アンテナ部２４に第２制御部２３が電気的に接続されたものである。第２アンテナ部２４は、例えば長方形螺旋状のアンテナコイルを、第１アンテナ部２２と同様に導電性の印刷インキにより形成され、その両端に第２制御部２３が接続されたものである。
【００２１】
上記第２アンテナ部２４は後述の情報管理装置からの後述する表示データを受信する。上記第２制御部２３は、情報管理装置との通信を制御するものであり、第２アンテナ部２４で受信した当該情報管理装置からの表示データを表示制御するＩＣチップ（第２ＩＣチップ）である。
【００２２】
上記第２ＩＣチップは、具体的には、制御回路、制御プログラムが記憶されているＲＯＭ、プログラム実行や表示データの一時記憶のためのメモリ、検波回路、変復調回路、電源回路及び表示制御部としての表示制御回路２７を有してなる。
【００２３】
上記電源回路は、第２アンテナ部２４で受信した所定周波数の電波を検波回路で検波し、アンテナコイルで発生した誘導起電力を第２ＩＣチップの電力とし、また、後述する第１表示部２５及び第２表示部２６で表示させるに必要な電圧に昇圧して電力を生成するものである。周波数としては、上記同様の１３．５６ＭＨｚである。また、受信した電波には当該周波数の搬送波に表示データが重畳されており、変復調回路で当該表示データを復調し、一方、第２制御部２３より表示終了の終了信号を送信するときには、制御回路が当該変復調回路に対して当該周波数の搬送波に当該表示終了信号を重畳させて変調させ、第２アンテナ部２４より送信するものである。
【００２４】
上記第１表示部２５及び第２表示部２６は、第２制御部２３（表示制御回路２７）により表示制御されるもので、その電力は上記のように電源回路で生成される。当該第１表示部２５及び第２表示部２６は、例えば、公知の電気泳動方式のもので、電力供給が停止されても、表示された像が残る残映状態となり、いつでも視認可能なものである。
【００２５】
例えば、第１表示部２５を、遊技機における遊技で後述の遊技者データベースに格納されている保持データのうちのプリペイド機能の残金用とし、第２表示部２６を、当該遊技機における遊技で後述の遊技者データベースに格納されている保持データのうちの当該遊技機で使用可能な遊技媒体貯蓄数としている。
【００２６】
続いて、図３に、図１の情報管理装置及びデータベースの構成説明図を示す。図３（Ａ）において、情報管理装置１２は、遊技機毎に備え付けられるもので、挿入排出部３１、リーダライタアンテナ部３２、制御部３３、表示部３４及び操作部３５を適宜備える。
【００２７】
上記挿入排出部３１は、上記ＩＣカード１１を挿入させ、また、排出させる機構を備える。上記リーダライタアンテナ部３２は、当該ＩＣカード１１に対して第１アンテナ部２２及び第２アンテナ部２４を介して上記周波数（１３．５６ＭＨｚ）で通信自在とするもので、当該ＩＣカード１１が挿入排出部３１に挿入されたときに第１アンテナ部２２及び第２アンテナ部２４と対向する位置に配置される。すなわち、当該リーダライタアンテナ部３２は、単一で、ＩＣカード１１の第１アンテナ部２２及び第２アンテナ部２４の両方に対して通信を行う役割をなす。
【００２８】
上記制御部３３は、当該装置を統括的に制御し、また、ホスト装置１３にネットワーク１４を介してアクセス自在とするもので、具体的には、制御回路、メモリ、電源回路、発信回路、変復調回路、電力増幅回路、検波回路を適宜備えるＩＣチップである。上記挿入排出部３１、リーダライタアンテナ部３２及び制御部３３により広義のリーダライタが構成される。
【００２９】
すなわち、制御部３３は、挿入排出部３１に挿入されたＩＣカード１１の第１制御部２１に対してＩＤコードを要求し、ＩＤコードに基づいてホスト装置１３にアクセスして遊技者データベースより当該ＩＤコードに関連付けられている保持データ（遊技媒体貯蓄数及び残金のデータ）を抽出して表示データを作成し、上記ＩＤコード要求の通信プロトコルと異なるプロトコルでＩＣカード１１の第２制御部２３に送信する制御を少なくとも行うものである。
【００３０】
上記表示部３４は、上記遊技者データベースより抽出した保持データを適宜表示する、例えばＬＥＤ表示部である。上記操作部３５は、少なくともＩＣカード１１を排出するイジェクトボタンを備え、適宜、入金操作や遊技媒体使用操作などを行うボタンを備える。
【００３１】
すなわち、上記情報管理装置１２は、ＩＣカード１１の第１アンテナ部２２及び第２アンテナ部２４と通信自在とし、ホスト装置１３の遊技者データベース４１に対して、遊技者毎の保持データ（遊技媒体貯蓄数及び残金）を変動の都度更新し、また、格納されている保持データをＩＤコードに基づいて抽出し、当該保持データを表示データとしてＩＣカード１１（第２アンテナ部２４）に送信することを少なくとも行うものである。
【００３２】
また、ホスト装置１３は、少なくとも遊技者データベース４１を備えるもので、他の構成は省略する。当該遊技者データベース４１は、図２（Ｂ）に示すように、ＩＤコード毎に関連付けられた遊技媒体貯蓄数（個）及びプリペイドの機能を果たす残金の各データがＩＤコード毎に格納されたものである。
【００３３】
そこで、図４に本発明に係る遊技保持データのカード表示の前提となる処理フローチャートを示すと共に、図５に本発明に係る遊技保持データのカード表示の処理フローチャートを示す。まず、図４において、情報管理装置１２の挿入排出部３１に遊技機用のＩＣカード１１が挿入されると、制御部３３が挿入排出部３１よりＩＣカード挿入の信号を受信する（ステップ（Ｓ）１）。当該制御部３３は、挿入されたＩＣカード１１に対してリーダライタアンテナ部３２より周波数Ｆ（１３．５６ＭＨｚ）の搬送波に重畳させたＩＤコード要求コマンドを上記通信プロトコルで送信する（Ｓ２）。
【００３４】
ＩＣカード１１の第１制御部２１では第１アンテナ部２２で受信した搬送波による誘導起電力により第１ＩＣチップが起動され、保持しているＩＤコードを情報管理装置１２側に上記通信プロトコルで送信する（Ｓ３）。情報管理装置１２では制御部３３が、取得したＩＤコードに基づいて、ネットワーク１４を介してホスト装置１３にアクセスし、遊技者データベース４１より、当該ＩＤコードに関連付けられて格納されている遊技媒体数及び残金の保持データを抽出する（Ｓ４）。
【００３５】
続いて、制御部３３が、遊技者による遊戯中での残金の入金や使用による減少の変動及び遊技媒体貯蓄数の変動の都度、遊技者データベース４１に対して当該ＩＤコードに関連付けられている残金及び遊技媒体貯蓄数の保持データを更新する（Ｓ５）。また、制御部３３は、上記データ更新の都度、表示部３４に保持データを表示させるものである（Ｓ６）。
【００３６】
そして、遊技者による操作部３５からのイジェクトボタンが押されるまで、上記Ｓ５、Ｓ６が繰り返される（Ｓ７）。
【００３７】
そこで、遊技者により操作部３５においてイジェクトボタンが押されると（Ｓ７）、図５に示すように、制御部３３が、操作部３５のイジェクト操作によるイジェクト信号を受信し（Ｓ１１）、挿入されているＩＣカード１１に対してリーダライタアンテナ部３２より周波数Ｆ（１３．５６ＭＨｚ）の搬送波に重畳させたＩＤコード要求コマンドを上記通信プロトコルで送信する（Ｓ１２）。
【００３８】
ＩＣカード１１の第１制御部２１では第１アンテナ部２２で受信した搬送波による誘導起電力により第１ＩＣチップが起動され、保持しているＩＤコードを情報管理装置１２側に上記通信プロトコルで送信する（Ｓ１３）。なお、Ｓ１２、Ｓ１３は、最終的に再確認するためのもので、特に必要な処理ではない。
【００３９】
そこで、情報管理装置１２の制御部３３では、取得したＩＤコードに基づいてホスト装置１３にアクセスし、遊技者データベース４１より現時点での当該ＩＤコードに関連付けられている遊技媒体貯蓄数及び残金の保持データを抽出する（Ｓ１４）。抽出した遊技媒体貯蓄数及び残金の保持データを表示データとし、ＩＣカード１１に対して当該表示データにパリティチェックフラグを付帯させ、周波数Ｆ（１３．５６ＭＨｚ）の搬送波に重畳させて上記通信プロトコルと異なるプロトコルで送信する（Ｓ１５）。
【００４０】
ＩＣカード１１の第２アンテナ部２４では、異なるプロトコルで送信されてきた表示データを受信し、当該受信した搬送波による誘導起電力を生成させて第２制御部２３の第２ＩＣチップが起動され、受信した表示データを付帯されているパリティチェックフラグよりパリティチェックを行い、その結果を情報管理装置１２側に送信する（Ｓ１６）。
【００４１】
パリティチェックの結果（Ｓ１７）、不一致の場合には否定応答（ＮＡＫ）を情報管理装置１２側に送信することで、当該情報管理装置１２より表示データが再送され、第２制御部２３がこれに対してもパリティチェックを行ってその結果を情報管理装置１２側に送信する（Ｓ１５〜Ｓ１７）。
【００４２】
パリティチェックの結果（Ｓ１７）、一致した場合には応答（ＡＣＫ）を情報管理装置１２側に送信し、表示制御部２７により第１表示部２５に対する残金の表示を書き換えると共に、第２表示部２６に対する遊技媒体貯蓄数の表示を書き換える（Ｓ１８）。そして、第２制御部２３が、情報管理装置１２側にタイミング等による表示書き換えの終了信号を送信する（Ｓ１９）。
【００４３】
情報管理装置１２の制御部３３では、、表示書き換えの終了信号を受信し、挿入排出部３１よりＩＣカード１１を排出するものである。
【００４４】
このように、第１制御部２１の第２ＩＣチップを、上記のようにＩＳＯ１８０９２対応の既存の高セキュリティのＩＣチップとして、情報管理装置１２の制御部３３のプログラムの変更だけでアンテナ部などのリーダライタ部分の機構変更を伴うことなく第１制御部２１及び第２制御部２３が当該情報管理装置１２と通信を可能とすることができ、ＩＣカード１１上で遊技者の遊技者データベース４１に格納されている保持データを表示させることができるものである。
【００４５】
ところで、上記実施形態では、ＩＣカード１１において、第１制御部２１に遊技者の保持データを記憶させない場合として説明したが、当該第１制御部２１（第１ＩＣチップ）に対応のメモリを備えさせ、第１表示部２５及び第２表示部２６に表示させた内容のデータを記憶させておいてもよい。
【００４６】
この場合、情報管理装置１２が、挿入排出部３１に挿入されたＩＣカード１１よりＩＤコード及び記憶されていたデータを取得し、取得したＩＤコードに基づいて遊技者データベース４１より保持データ（遊技媒体貯蓄数、残金）を抽出して比較、確認することとしてもよい。また、遊技者の遊戯中に保持データが変動して遊技者データベース内の保持データを更新する際に、当該ＩＣカード１１に記憶させているデータをその都度更新させてもよい。
【産業上の利用可能性】
【００４７】
本発明のＩＣカードのデータ表示方法及びＩＣカードは、遊技機の遊技保持データを表示させる非接触のＩＣカード産業の他に、個別毎に所有されるＩＣカードに当該所有者の保持データを表示させるＩＣカード産業に利用可能である。
【符号の説明】
【００４８】
１１            ＩＣカード
１２            情報管理装置
１３            ホスト装置
２１            第１制御部
２２            第１アンテナ部
２３            第２制御部
２４            第２アンテナ部
２５            第１表示部
２６            第２表示部
２７            表示制御部
３１            挿入排出部
３２            リーダライタアンテナ部
４１            遊技者データベース
【図１】
2011076150.tif 000003
【図２】
2011076150.tif 000004
【図３】
2011076150.tif 000005
【図４】
2011076150.tif 000006
【図５】
2011076150.tif 000007